(57)【特許請求の範囲】
【請求項１】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記ビームアレイは、前記少なくとも一つのカメラの視野内に、前記ハウジングと交差する、内視鏡システム。
【請求項２】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記マイクロレンズアレイは、内視鏡の縦軸に垂直する平面に配置されている、内視鏡システム。
【請求項３】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記マイクロレンズアレイは、共通の基板に配置されている、内視鏡システム。
【請求項４】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記構造化光源は、出力開口を含み、
前記開口の直径は、０．２０ｍｍ未満である、内視鏡システム。
【請求項５】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記内視鏡システムは、前記レンズアレイに十分に近接して配置され、各別のマイクロレンズの間の光照射領域の一部がマスクによってブロックされるように位置合わせられた、１つ以上のレンズアレイマスク、をさらに含む、内視鏡システム。
【請求項６】
ハウジングと、
少なくとも一つのカメラと、
ＬＥＤを含む構造化光源と、
マイクロレンズアレイと、
前記マイクロレンズアレイの後の光路に配置されている光学素子と、
を含む内視鏡システムであって、
前記マイクロレンズアレイは、構造化光源から発光された光がマイクロレンズによってコリメートされ、複数の方向に沿って伝播するビームアレイになるように、配置されており、
前記光学素子は、前記ビームの伝播する角度の範囲を増加させるように、構成される、内視鏡システム。
【請求項７】
前記光学素子は、負屈折力を示す、請求項６に記載の内視鏡システム。
【請求項８】
前記光学素子は、少なくとも一つのプリズムを含む、請求項６に記載の内視鏡システム。
【請求項９】
前記光学素子は、フレネルレンズを含む、請求項６に記載の内視鏡システム。
【請求項１０】
前記光学素子は、第１のミラーを含む、請求項６に記載の内視鏡システム。
【請求項１１】
前記光学素子は、前記第１のミラーの後の光路に配置されている第２のミラーをさらに含み、
少なくとも一つのビームは、前記第１のミラーによって反射され、次に前記第２のミラーによって反射されるように、配置されている、請求項１０に記載の内視鏡システム。
【請求項１２】
前記光学素子は、前記マイクロレンズアレイの発光する複数のビームが、前記光源以外の位置にある軸にお互い交差する線に沿って伝播するように、配置されている、請求項６に記載の内視鏡システム。
【請求項１３】
前記第１のミラーは、環状である、請求項１０に記載の内視鏡システム。
【請求項１４】
前記アレイ内の少なくとも一つのレンズは、少なくとも１つの平面で無限より少ない共役で光を集束するような能力を示し、
前記光学素子は、前記少なくとも一つの平面で前記光学素子から発散する前記ビームを無限に近い共役でコリメートするような能力を示す、
請求項６に記載の内視鏡システム。
【請求項１５】
前記光学素子は、白色光照明光源からの白色光及び前記構造化光源からの構造化光の両方を反射する第１のミラーを含む、請求項１０に記載の内視鏡システム。
【請求項１６】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記少なくとも一つのカメラは、横平面を含む視野を示す、内視鏡システム。
【請求項１７】
前記内視鏡は、前記横平面の上下に構造化光を投影する、請求項１６に記載の内視鏡システム。
【請求項１８】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記構造化光は、８０度より大きいもの、１２０度より大きいもの、１８０度より大きいもの及び２００度より大きいものからなる群から選ばれる視野に投影される、内視鏡システム。
【請求項１９】
ハウジングと、
少なくとも一つのカメラと、
ＬＥＤを含む構造化光源と、
マイクロレンズアレイと、
複数の白光光源と、
を含む内視鏡システムであって、
前記マイクロレンズアレイは、構造化光源から発光された光がマイクロレンズによってコリメートされ、複数の方向に沿って伝播するビームアレイになるように、配置されており、
前記複数の白光光源及び前記構造化光源は、前記少なくとも一つのカメラの周りに配置されている、内視鏡システム。
【請求項２０】
前記白光光源及び前記構造化光源は、共通のプリント回路基板（ＰＣＢ）に配置されている、請求項１９に記載の内視鏡システム。
【請求項２１】
前記少なくとも一つのカメラは、前記ＰＣＢに配置される１つ以上の画像センサーを含む、請求項２０に記載の内視鏡システム。
【請求項２２】
ハウジングと、
少なくとも一つのカメラと、
ＬＥＤを含む構造化光源と、
マイクロレンズアレイと、
を含む内視鏡システムであって、
前記マイクロレンズアレイは、構造化光源から発光された光がマイクロレンズによってコリメートされ、複数の方向に沿って伝播するビームアレイになるように、配置されており、
前記ハウジングは、カプセル形状を示す、内視鏡システム。
【請求項２３】
前記カプセル形状のハウジングは、人が飲み込むことができるように、サイズが設定されている、請求項２２に記載の内視鏡システム。
【請求項２４】
前記カプセル形状のハウジングは、その内部に前記カメラ、前記構造化光源、及び前記マイクロレンズアレイを含む、請求項２３に記載の内視鏡システム。
【請求項２５】
前記構造化光の示す１つ以上の色は、前記一つ以上の白色光源の示す１つ以上の色と異なる、請求項１９に記載の内視鏡システム。
【請求項２６】
ハウジングと、
少なくとも一つのカメラと、
ＬＥＤを含む構造化光源と、
マイクロレンズアレイと、
前記ハウジングに機械的に接続された挿入チューブと、
を含む内視鏡システムであって、
前記マイクロレンズアレイは、構造化光源から発光された光がマイクロレンズによってコリメートされ、複数の方向に沿って伝播するビームアレイになるように、配置されており、
前記構造化光源は、前記ハウジングから離れて配置されており、
前記内視鏡は、前記挿入チューブに配置され、前記構造化光源からの光を前記マイクロレンズのアレイに導く光ガイドをさらに含む、内視鏡システム。
【請求項２７】
前記少なくとも一つのビームは、前記内視鏡ハウジング内の障害物を回避する量でシフトされている、請求項１１に記載の内視鏡。
【請求項２８】
前記第１のミラーは、前記第２のミラーよりも前記障害物に近くに配置されている、請求項２７に記載の内視鏡。
【発明の詳細な説明】
【技術分野】
【０００１】
本開示は、一般に、体腔の内視鏡検査に関し、より具体的には、構造化光を利用して、病変又はその検査中に観察される他の特徴の正確なサイズ測定を容易にする内視鏡及び内視鏡検査に関する。
【背景技術】
【０００２】
カプセル内視鏡を含む内視鏡により、臨床医が消化管（ＧＩ）の病変やその他の生理学的特徴を見つけて特定できることは知られている。このようなカプセル内視鏡は、カプセル形状（カプセル構造を与える、端部構造を備えた管状体を持つ）であり、食べ物、飲み物、又はその他の物質として、自発的な筋肉の動きで喉と食道を通過することによって、飲み込むか、あるいは胃に入れ込むことができる。カプセルは、胃から腸を通って進行した後、排出される。病変／特徴によって引き起こされる健康上のリスクと任意の後続の治療計画は、通常、病変／特徴のサイズに依存するため、後続の診断は、病変／特徴のサイズの推定が含まれることが多い。例えば、結腸の腺腫及び固着した鋸歯状のポリープは直径が１ｃｍを超える場合、通常、後期の前癌病変として分類される。
【０００３】
生理学的特徴サイズ測定の重要性が認識されているにもかかわらず、現代の内視鏡、特に、カプセル内視鏡は、そのような生理学的特徴について、正確かつ使いやすいサイズ測定方法が欠けている。したがって、内視鏡検査により特定された生理学的特徴のサイズ測定を容易にする方法、システム、及び構造、あるいは他の手段を提供することは、当技術分野で歓迎される追加である。
【発明の概要】
【０００４】
本技術の進歩は、本開示の態様によれば、内視鏡検査により特定された生理学的特徴について、正確かつ使いやすいサイズ測定の方法、システム、及び構造を提供することにある。
【０００５】
従来技術と比べて、本開示に係るシステム、方法、及び構造は、構造化光を利用しており、当該構造化光により、消化（ＧＩ）管内の病変及び／又は他の生理学的特徴に関するサイズ及び／又は距離情報が好ましく得られる。
【０００６】
好ましくは、本開示に係るシステム、方法及び構造は、カプセル内視鏡及び挿入型内視鏡の両方とも適用できる。
【０００７】
一つの態様において、本開示は、ハウジングと、少なくとも一つのカメラと、構造化光源と、構造化光を発生するマイクロレンズアレイとを含む内視鏡システムであって、前記マイクロレンズアレイは、構造化光源から発光された光がマイクロレンズによってコリメートされ、複数の方向に沿って伝播するビームアレイになるように配置されている内視鏡システムに関する。
【０００８】
もう一つの態様において、本開示は、撮像装置を体腔に導入する工程と、前記撮像装置から、非構造化光を前記体腔に出射する工程と、前記撮像装置により、前記体腔の解剖学的な特徴から反射された非構造化光を検出する工程と、前記撮像装置により、前記検出された非構造化光から１つ以上の非構造化光画像を生成する工程と、前記体腔に構造化光を投影する工程と、前記体腔の前記解剖学的な特徴から反射された構造化光を検出する工程と、前記検出された構造化光から１つ以上の構造化光画像を生成する工程と、を含む、体腔の撮像方法に関する。
【０００９】
本開示は、添付の図面を参照することにより、さらに完全に理解され得る。
【図面の簡単な説明】
【００１０】
【図１】本開示の態様により、シャドーマスクを用いた構造化光の生成を示す概略図である。
【図２】本開示の態様により、シャドーマスク及びコリメートレンズによる構造化光の生成を示す概略図である。
【図３】本開示の態様により、シャドーマスク及びコリメートレンズによる構造化光の生成を示し、開口Ｄの幅は、ピッチに等しい（デューティサイクルが１００％）概略図である。
【図４】本開示の態様により、基板の上／内に形成されるマイクロレンズアレイ（ＭＬＡ）の集合を示す概略図である。
【図５】本開示の態様により、基板の上／内に形成されるマイクロレンズアレイ（ＭＬＡ）と集合開口マスクの集合を示す概略図である。
【図６】本開示の態様により、基板の上／内に形成されるマイクロレンズアレイ（ＭＬＡ）の集合と、その後エンボス／成形又はエッチングされてレンズに形成することを示す概略図である。
【図６（Ａ）】本開示の一態様により、マイクロレンズアレイ（ＭＬＡ）パターンを示す模式図であり、最密充填（すなわち、六角形又は「ハニカム」）の配置を示す。
【図６（Ｂ）】本開示の一態様により、マイクロレンズアレイ（ＭＬＡ）パターンを示す模式図であり、矩形配置を示す。
【図７】本開示の態様により、光学素子を光路のＭＬＡに配置した後、全体的な視野（ＦＯＶ）が増加したことを示す概略図である。
【図８】本開示の態様により、構造化光素子を含むカプセル内視鏡を示す概略図である。
【図９（Ａ）】模式図であり、構造化光素子及び追加の白色光素子を有する現代の挿入型内視鏡に、本開示による構造化光素子を含ませることを示す。
【図９（Ｂ）】模式図であり、図９（Ｂ）は、構造化光チャンネル及び素子及び追加の照明チャンネル素子を有する別の現代の挿入型内視鏡に、本開示による構造化光素子を含ませることを示す。
【図１０（Ａ）】本開示の一態様により、構造化光素子を含み、パノラマ撮像システムを呈すカプセル内視鏡を示す模式図である。
【図１０（Ｂ）】本開示の一態様により、構造化光素子を含み、パノラマ撮像システムを呈すカプセル内視鏡を示す模式図である。
【図１１】本開示の態様により、アレイのマイクロレンズが中央のＬＥＤを中心とする同心円状に配置されているＭＬＡを示す概略斜視図である。
【図１２】本開示により配置されるカメラで撮影された画像を示す模式図である。本開示の態様により、前記画像は、構造化光（ＳＬ）が投影された平面を有する。
【図１３】本開示の態様により、内視鏡構造に含まれる例示的な構造化光源の発光スペクトル及び例示的なセンサーの応答性スペクトルを示すプロットである。
【図１４（Ａ）】本開示の態様により、センサー上の位置ｘの関数としてのＲ、Ｇ、Ｂピクセルのセンサー輝度信号を示すプロットであり、物体が内視鏡に近く、センサーの発光照度が高い場合を示す。
【図１４（Ｂ）】本開示の態様により、センサー上の位置ｘの関数としてのＲ、Ｇ、Ｂピクセルのセンサー輝度信号を示すプロットであり、物体が遠く、センサーの発光照度が低い場合を示す。
【図１５】本開示の態様により、体腔内部及びポリープにおいて、構造化光プロットを採用する例示的なカプセル内視鏡構造の模式図である。
【図１６】本開示の態様により、光路内のＭＬＡに続く光学素子を有する例示的な内視鏡配置の模式図である。
【図１７】本開示の態様により、方法を実行することができる例示的なコンピュータシステムの模式図である。
【発明を実施するための形態】
【００１１】
例示的な実施形態は、図面及び詳細な説明によって、さらに十分に説明される。しかしながら、本開示による実施形態は、様々な形態で実現されてもよく、図面及び詳細な説明に記載されている特定又は例示的な実施形態に限定されない。
【００１２】
以下、本開示の原理を単に例示する。したがって、当業者は、本開示で明確に説明又は示されていないが、本開示の原理を実現し、その精神及び範囲内に含まれる様々な配置を考案できることを理解されたい。
【００１３】
さらに、本開示に記述されたすべての例及び条件付き言語は、本開示の原理及び本技術分野を促進するために発明者の貢献した概念を読者に理解させるのを助ける教育目的のみを主に意図し、そのような具体的に記述された例及び条件に限定されないと解釈されるべきである。。
【００１４】
さらに、本開示の原理、態様、及び実施形態のすべての記述、ならびにその具体的な実施例は、その構造的及び機能的な均等物を含むことを意図している。また、そのような均等物には、現在知られている均等物と将来開発されうる均等物の両方、つまり、構造に関係なく、同じ機能を実行する開発された任意の要素が含まれることが意図されている
【００１５】
したがって、当業者は、例えば、本開示の任意のブロック図により、本開示の原理を実現する例示的な回路の概念図を表すことを理解するであろう。同様に、コンピュータまたはプロセッサーが明確に開示されていなくとも、当業者は、いずれのフローチャート、状態遷移図、擬似コードなどが様々なプロセスを表し、これらのプロセスがコンピュータ読み込み可能な媒体で実質的に示され、コンピュータ又はプロセッサーによって実行され得ることを理解するであろう。
【００１６】
図面に示されるさまざまな素子の機能（「プロセッサー」と表記されたいずれかの機能ブロックを含む）は、専用ハードウェアや、適切なソフトウェアに関連してソフトウェアを実行できるハードウェアを使用することにより提供される。プロセッサーによって提供される場合、前記機能は、単一の専用プロセッサーによって提供され得るか、単一の共有プロセッサーによって提供され得るか、又はその一部が共有可能な複数の単一のプロセッサーによって提供され得る。さらに、明示で使用される用語「プロセッサー」又は「コントローラー」は、ソフトウェアを実行できるハードウェアのみを指すと解釈されるべきではなく、デジタル信号プロセッサー（ＤＳＰ）ハードウェア、ネットワークプロセッサー、特定用途向け統合回路（ＡＳＩＣ）、フィールドプログラマブルゲートアレイ（ＦＰＧＡ）、ソフトウェアを格納するための読み取り専用メモリ（ＲＯＭ）、ランダムアクセスメモリ（ＲＡＭ）、及び不揮発性ストレージを示唆的に含むが、これらに限らない。従来及び／又はカスタムの他のハードウェアも含まれ得る。
【００１７】
ソフトウェアモジュール、又は単にソフトウェアであることを示唆するモジュールは、フローチャート要素又は他の要素の任意の組み合わせとして表すことができ、前記他の要素は、プロセス工程の実行及び／又はテキスト説明を示す。このようなモジュールは、明示的又は暗示的に示されるハードウェアによって実行されてもよい。
【００１８】
本開示で特に明示的に指定されていない限り、図面に含まれている図は、縮尺通りに描かれていないこともある。
【００１９】
いくつかのほかの予備知識により、内視鏡検査から特定される生理学的特徴についてサイズ測定を行うことは重要であるにもかかわらず、カプセル内視鏡を含む現代の内視鏡は、このようなサイズ測定機能を十分に提供できないことに再び留意する。ただし、簡潔のために、「特徴」又は「病変」という用語を交換可能に使用してそのような生理学的特徴を説明する場合があることに留意する。本開示及び特許請求の範囲の目的のために、そのような特徴又は病変は、単に視野内の物体又は関心点であり、本開示で使用される用語は限定的なものと見なされるべきではないことにさらに留意する。
【００２０】
当業者に知られて容易に理解されるように、内視鏡カメラ画像のサイズ測定／推定は、測定される物体又は生理学的特徴の見かけのサイズがその拡大倍率に依存し、その拡大倍率もカメラからの距離（通常、未知なものである）に依存するため、相違が起こりやすい。生体内撮像の場合に必然的にそうであるように、物体がカメラに近い、すなわち、共役距離が小さい場合、物体距離の小さな変化によって倍率の大きな変化をもたらす。さらに、内視鏡に採用されている広角レンズにとって、レンズの歪みにより、カメラの視野全体において拡大倍率の変化を引き起こす。
【００２１】
当業者が容易に理解できるように、内視鏡検査期間において、ある工具（すなわち、スケール、鉗子、又は既知サイズの他の物体）をサイズの参考基準として利用して、前記工具を病変と十分に近接させて配置し、前記病変を前記工具とともに観察することによって、サイズ参考を提供ように、前記病変のサイズをより正確に推定／決定することができる。さらに理解されるように、このような操作手順は、腸内の特定の病変配置にとっては、時間がかかり、困難又は不可能であり、十分に正確ではなく、粘膜損傷の処置リスクを増加させ、プロシージャレコードの一部として測定値を記憶媒体に自動的に記録できないという可能性がある。さらに、このような工具は、カプセル内視鏡処置には適用できない。
【００２２】
当然ながら、距離を測定する工具を含む内視鏡は、内視鏡検査期間において観察される消化（ＧＩ）管内の物体のサイズを快速、簡単、かつ客観的に測定及び記録することが可能であり、当技術分野においては歓迎される追加である。
【００２３】
この点について、レーダー、超音波、ソナー、エコー位置決め、ライダー、ホログラフィー、ステレオビジョン、陰影奥行き、飛行時間、光干渉断層計、共焦点顕微鏡、及び構造化光を含む、物体の距離を測定するための様々な電子技術が開発されていることに留意する。これらの技術のうち、多くは大きく、複雑で、高価で、電力消費の高いシステム、方法、及び構造を必要とする。ライダーを含む光学的な飛行時間の測定は、飛行時間が非常に短いため、短い物体距離に使用するのは困難であるので、ミリメートル単位の距離分解能を達成するのが難しい。光干渉断層計（Ｏｐｔｉｃａｌ  ｃｏｈｅｒｅｎｃｅ  ｔｏｍｏｇｒａｐｈｙ、ＯＣＴ）及び共焦点顕微鏡は、内視鏡及び内視鏡を使用する手順に用いられているが、小型化が不十分であるため、非テザーのカプセル内視鏡アプリケーションには適用できない。最後に、これらの注目される技術のうち、多くはセンサーハードウェアを必要とし、このセンサーハードウェアの操作は、胃腸内科医又は他の人（内視鏡の利用者、すなわち、内視鏡医）が病変又は他の特徴を特定するために使用する光学的白色光（ＷＬ）カメラとは別であるため、カメラ画像データと３Ｄセンサーデータとの対応がチャレンジングとなる。
【００２４】
本開示の態様により、当業者が容易に理解されるように、内視鏡カメラと構造化光（ＳＬ）のプロジェクターとの間の三角測量によって、３Ｄデータを好ましく取得できる。さらに理解されるように、このようなアプローチは、カメラを活用するため、必要の任意の追加ハードウェアを削減でき、白色光画像データと奥行き測定との対応の確立を簡素化する。
【００２５】
本開示で使用される構造化光は、空間的にパターン化されるため、３Ｄ空間内において既知の幾何学のパターンで物体空間を照明する。構造化光は、既知のパターン（グリッド又は水平バーパターン素子、あるいはランダム、擬似ランダム、もしくは半周期な要素を含むことが多い）をシーン（内視鏡カメラの任意の視野）に投影するプロセスを含む。構造化光３Ｄスキャンシステムに使用されるように、表面に照射されたときにパターン素子が変形する方法により、シーン内の物体の奥行き及び表面情報を決定できる。好ましくは、他の光ベースの視覚システム及び／又はプロセスとの干渉により投影パターンを混乱させることを避けるように、好ましくは、不可視な（又は知覚できない）構造化光を使用できる。例示的な不可視な構造化光には、赤外線を使用すること、又は、異なるパターン（すなわち、反対のパターン）の間の交替において十分に高いフレームレートを使用することが含まれる。
【００２６】
いくつかの具体例により、構造化光としては、照射面上にスポットのグリッド、ライン、又は他のパターンを作成するために、１つ以上の投影中心（ＣＯＰ）から発光されるビームアレイを使用できることに留意する。当業者に知られて理解されているように、三角測量について、構造化光投影のＣＯＰは、パターン／表面を撮像するカメラのＣＯＰと同じ場所に配置してはならない。
【００２７】
構造化光は、空間光変調器又は「スライド」から表面に画像を投影する画像投影装置（構造化光プロジェクター）によって生成されてもよい。生体内用途に関して、そのような表面は、通常、粘膜及び／又は病変及び／又は他の生理学的特徴を含む生物学的材料を含み得る。しかしながら、このような画像投影装置の光学効率は、システムのサイズの増加につれて、低下する。シングルアパーチャイメージプロジェクターの場合、フラックスは、焦点距離の２乗に比例する。内視鏡は、通常、例えば、１６０°のような大きな視野（ＦＯＶ）を示すため、画像投影装置がそのような大きなＦＯＶをカバーすることは困難である。同様に、例えば、微小電気機械システム（ＭＥＭＳ）ミラーを使用した小型光学スキャナーなどの代替技術でも、このような大きなＦＯＶを簡単にカバーできない。別の代替技術、例えば、コヒーレント光を回折光学素子（ＤＯＥ）に通すことで動作する回折格子やホログラムという代替技術は、別の空間パターンを生成し得るが、このようなパターンでは、通常のＤＯＥから少なくとも１ｃｍの距離という回折遠視野でしか十分なコントラストを示さず、６０°を超えるＦＯＶを均一にカバーすることは、単一の光源では達成が困難である。さらに別の構造化光を生成する技術的アプローチ、例えば、ＤＯＥ以外の焦点距離に集束レンズを配置することにより、ＤＯＥからのレンズの焦点距離の２倍に等しい距離で回折遠視野に画像を生成するという技術的アプローチはあるが、画像のカバレッジエリア（ＦＯＶ）の縮小を引き起こす。
【００２８】
これら及び他の困難を考慮して、本開示は、十分に低い電力消費及び低コストを示し、ミリメートル範囲内およびそれ以外の範囲での物体距離の照明に十分に適し、制約された空間体積における構造化光の生成のためのシステム、方法、及び構造に関する。以下で例示して説明するように、本開示によるこシステム、方法、及び構造の内視鏡への用途（特に、生体内カプセル内視鏡）は、特に魅力的である。そのような魅力があるにもかかわらず、本開示によるシステム、方法、及び構造は、他の用途へも好適に適用できる。
【００２９】
当業者に理解されるように、基本的な類比を提示する目的で、本開示によるシステム、方法、及び構造は、シャドーマスクによる陰影付けという基本概念の変形を採用する。特に、本開示によれば、マイクロレンズを含む開口の配置に光を通過させることにより、光をビームアレイにコリメートし、その強度が距離の増加に従って減少する速度は、コリメートレンズなしのアパーチャを通過する光よりも低い。各ビームは、独立してコリメートされるため、ビーム角度が大きく変化して、より大きなＦＯＶをカバーする可能性がある。また、本開示において、以下でさらに詳しく例示して説明するように、マイクロレンズ以外に配置されたミラー、レンズ又は他の光学素子を使用することにより、ビームの一部又は全部をリダイレクトし、ＦＯＶを増加させることができる。
【００３０】
この点について、コリメーターが１つ以上のビームを狭めるデバイスであることを、当業者は容易に理解及び認識することに留意する。本開示で使用されるコリメートとは、光の方向を狭めるか、特定の方向に整列させる（つまり、ビームを描く光線がより平行になる）ことを意味するが、コリメートされたビームに発散又は収束が発生しないことを意味するものではない。コリメートにより、ビームの空間断面積が小さくなる可能性がある。
【００３１】
当業者にはさらに理解されるように、本開示にある数多くの開示は、カプセル内視鏡の背景での例示的な表示である。本開示はそれにより限定されない。本開示によるシステム、方法、及び構造は、カプセル及び挿入チューブ型の内視鏡、ならびにシーン内の関心対象のサイズ及び／又は距離決定から利点を得ることができる他の器具も意図する。
【００３２】
ここで図１を参照すると、本開示の態様によるシャドーマスクを使用して構造化光を生成する例示的な装置の概略図が示されている。その図から分かるように、光は、直径ａを有する開口（光源開口）を通して、光源から発光される。シャドーマスクは、光源が発光された光源開口から距離Ｌを離れるように配置されており、また、前記シャドーマスクは、幅Ｄの開口（マスク開口）のアレイを有する。したがって、この図に例示的に示されているように、光源による軸上の回折を無視して、マスクの開口の範囲外のビームにおける光の発散角は、次のように定義される。
【００３３】
【数１】
0006891345.tif 000002
【００３４】
当業者にさらに理解されるように、発散角の角度が増加すると、距離とともに光強度の低減が大きくなるので、遠い物体と近い物体に投影される任意のパターン（スポットなど）の存在及び配置を適切に検出するために、画像内のより大きなダイナミックレンジが必要になる。本開示で使用され、かつ当業者に一般に理解されるように、ダイナミックレンジは、最大と最小の測定可能な光強度（例えば、黒と白）間の比率を示す。
【００３５】
ａ及びＤを減少させる（マスク開口を狭くする）ことは、スループットを犠牲にして発散を減少させる。また、Ｄの減少で減少可能な発散の程度は、回折によって制限される。また、隣接する投影スポット同士を区別できるようにするには、少なくとも約５０％の開口デューティサイクルが必要である（すなわち、マスク開口ピッチは少なくとも２Ｄとなる）。ただし、図に示されている正方形のマスク開口を示すシャドーマスクは、マスクに当たる入射光の約２５％だけが通過するように、両方の横方向の軸に沿って実質的に５０％不透明でなければならないことに留意する。このような基準は、円形マスクの開口の場合においてはさらに小さくなる。
【００３６】
図２を参照すると、本開示のさらなる態様による、シャドーマスク及び各マスク開口に配置されたコリメートレンズを使用して構造化光を生成する例示的な装置の模式図が示されている。このようなコリメートレンズが図面に示されるようにマスクの開口に配置されている場合、ビーム発散（回折を無視）は下記のように減少される。
【００３７】
【数２】
0006891345.tif 000003
【００３８】
図には具体的に示されていないが、光源は、好ましくは、小さな開口を有するＬＥＤである「点光源」発光ダイオード（ＬＥＤ）を含むことができる。
【００３９】
例示的な実施形態において、点光源ＬＥＤは、標準的なＬＥＤの構造と類似する構造を示す。ただし、そこから放射される光は、直径が通常２５μｍ〜２００μｍの明確な（多くの場合は円形）領域を通して放射される。そのように生成された光は、狭い視野角を生成する「スポット」として表示される。理解されるように、そのような点光源ＬＥＤは、例示的に示される光源開口（及び光源開口を有する任意の光源マスク）の要件を排除又は変更することが可能である（このような場合では、ａは、点光源の開口径に相当する）。通常、横方向の電流閉じ込め構造は、ＬＥＤに含まれるため、電子と正孔との再結合する領域が開口よりも大きくならないようにする。開口は、ＬＥＤの表面上の金属層の開口であってもよい。
【００４０】
もちろん、本開示によるシステム、構造、及び方法で使用される光源は、１０μｍ以下の開口を有し得る垂直キャビティ面発光レーザー（ＶＣＳＥＬ）を含むレーザーも含むことができ、それは点光源ＬＥＤよりも効率的であることが知られている。残念ながら、そのようなレーザーのコヒーレント性が高い場合、生成された構造化光には、スプリアス干渉パターンとスペックルノイズが含まれる場合がある。
【００４１】
点光源ＬＥＤにおいて、ａは、典型的には０．０５０ｍｍ〜０．２０ｍｍの範囲（例えば、０．０８０ｍｍ又は０．１０ｍｍ）であり、Ｌは、典型的には１ｍｍ〜１０ｍｍの範囲である。したがって、ａ＝０．８０ｍｍ及びＬ＝４．０ｍｍの場合、θ＝６°である。Ｄ＞ａである限り、レンズのデューティサイクルが１００％（つまり、ピッチがＤに等しい場合）であっても、ビーム発散度θはビーム分離角Φより小さく、物体に投影される任意のスポットのデューティサイクルは物体の距離とともに減少する。そのような構成は、図３に概略的に示されている。当業者に理解されるように、大きな開口デューティサイクルは、コリメーティングレンズを有しないシャドーマスクと比較して、スループットを増加させる。
【００４２】
この点について、図に示されているようなレンズアレイは、透明基板に形成又は他の方法で配置されたマイクロレンズアレイ（ＭＬＡ）であってもよいことに留意する。そのような構成は、図４の模式図に例示的に示されている。
【００４３】
引き続きその図を参照すると、基板は、ガラス、シリカ、ポリマー、又は他の透明材料を含む様々な既知の材料の中の任意の材料で形成され得ることに留意する。同様に、レンズは、任意の適切な材料で構成されてよく、エンボス加工、成形、又はフォトレジストリフローによるリソグラフィー及び／又はエッチング、あるいは任意の他の既知の技術によって形成されてもよい。レンズアレイは、ガラスフレームワーク上に存在する場合があり、ガラスフレームワークは、基板全体に貼り付けられるか、集積されても良い。レンズは、光源に向く基板の表面上又は反対側に集積されてもよく、基板の本体に集積されてもよい。レンズが光源に対して基板の反対側に配置されている場合、同じ基板の配置と厚さに対して、焦点距離は大きくなるため、ビームの発散が減少することに留意する。
【００４４】
さらに、アレイ内の個々のレンズは、それぞれ、レンズの対称軸である光軸を有することに留意する。各レンズについて、主光線は、光源から通過し、レンズの入射瞳で光軸と交差する。主光線と光軸は接平面に位置し、主光線は接平面に垂直な矢状面にも位置する。
【００４５】
図５を参照すると、レンズのクリアアパーチャ（ＣＡ）の外側にあるレンズ材料の表面は、低収差で光をコリメートするのに有効な形状又は品質（形状又はその他）を示さない場合があることが観察される。好ましくは、マスクは、図５に概略的に示されるように、ＣＡの外側にあるＭＬＡ基板を透過して構造化光投影のコントラストを低減するあらゆる光の遮断に使用されてもよい。マスクは、図に示される光路内のマイクロレンズアレイの直前又は直後に配置された材料のシート又はコーティングされた基板で構成されてもよい。さらに、マスクは、ＭＬＡの表面に塗布された不透明なコーティングであってもよい。例えば、ブラッククロム又は他の不透明材料を、堆積又は他の方法でレンズアレイの表面に施し、フォトエッチング又は他の既知の方法により、個々のレンズに適切に位置合わせされた開口にパターン化することができる。あるいは、ガラス基板上にブラッククロム又は他の不透明材料を施してパターン化してもよい。続いて、クロム（又は他の適切な材料）上の基板に薄いポリマー層を施し、モールド成形を施して、エンボス加工されたレンズパターンを作成し、レンズをブラッククロム開口に位置合わせる。そのような形成から生じる例示的な構造は、図６に概略的に示されている。
【００４６】
本開示の態様によれば、マイクロレンズは、代替の配置（パターン）で構成され得ることに留意する。例えば、図６（Ａ）と図６（Ｂ）は、いずれも本開示の態様による例示的なマイクロレンズアレイ（ＭＬＡ）パターンを示す模式図であり、そのうち、図６（Ａ）は、最密充填（すなわち、六角形又は「ハニカム」）の配置を示し、図６（Ｂ）は、矩形配置を示す。これらの図からわかるように、これらの例示的な配置では、隣接するレンズ間に実質的にスペースがない。したがって、これらの配置では、マスク層が不要となる可能性がある。ただし、実際には、あるレンズサグから次の隣接レンズサグへの移行は完璧に密接ではないので、これらの移行領域を通過する光は、レンズアレイによって十分にコリメートされないことに留意する。そのようなコリメーションの欠如にもかかわらず、そのように収差のある光の部分は許容できるほど低いかもしれないので、補正の必要はなくてもよい。
【００４７】
これらのＭＬＡ構成を念頭に置いて、構造化光源によってカバーされる視野半角は、約下記式のとおりである。
【００４８】
【数３】
0006891345.tif 000004
【００４９】
ここで、ｗは、ＭＬＡの幅であり、ｆは、アレイの端でのレンズの接線焦点距離である。ビームの発散、ｆ、及びそれによる光源からＭＬＡまでの距離Ｌを最小化するには、利用可能なスペースが許す限り、φをできるだけ大きくすべきである。
【００５０】
ＦＯＶを増加させるには、ｆに対してｗを増加させなければならない。ただし、ＭＬＡのコストは、その面積及びｗ２に比例する。また、ＭＬＡを通過する光の入射角が大きくなると、レンズの収差、フレネル損失、瞳の歪み、及び発光ダイオード（ＬＥＤ）強度の低下（ＬＥＤ強度が角度の増加につれて低下するため）がますます問題になる。
【００５１】
好ましくは、ＭＬＡの後に光学素子を配置することにより、送信ビームの発散を増大させるため、ｗ／ｆを増大させることなくＦＯＶを増大させることができる。図７は、本開示の態様に従って、全体の視野（ＦＯＶ）が増大するように、光路内のＭＬＡの後に光学素子を配置することを例示的に示す概略図である。
【００５２】
ここでその図を参照すると、光路においてＭＬＡの後に位置するように、負屈折力（負の屈折力）の屈折レンズＬ１を配置することが示されている。例示的な構成においては、光源はＬ１の光軸上に配置され、レンズアレイはこの軸に垂直であるが、そのような配置は好ましく、それほど正確である必要はない。
【００５３】
図面に示されているように、光線は、ＭＬＡの２つのマイクロレンズ（ＭＬ）について示されている。Ｌ１はビームを発散させるので、ＭＬの正屈折力（正の屈折力）が効果的に増加され、有限共役で光源からの光をＬ１以外のポイントに集束させる。さらに、ＭＬは、接線面と矢状面では異なる曲率を示すため、Ｌ１以外の物体空間のビームは両方向でほぼ等しく良好にコリメートされる。各ＭＬは光をコリメートし、それを通過する光線をより平行にするが、ある程度で収束させる。Ｌ１はさらに光をコリメートし、収束を低減又は除去する。また、ＭＬ曲率は、光軸に対するレンズの中心配置によって異なる。ビーム幅を実質的に等しくさせるために、ＭＬのＣＡは、光軸からの距離が増加するとともに、増加されてもよい。さらに、Ｌ１の代わりに、又はＬ１に加えて、フレネルレンズ、回折素子、１つ以上のミラー、又は１つ以上のプリズムなどの異なるタイプの光学素子を使用して、構造化光（ＳＬ）のＦＯＶを増加させることができる。最後に、ＳＬでカバーされるＦＯＶ２Φは、１８０°を超えてもよく、また、例えば、１６０°、１４０°、１２０°、１００°、８０°、６０°などを含む１８０°未満であってもよい。
【００５４】
いま、図８を参照すると、本開示の態様による、構造化光素子を含む例示的なカプセル内視鏡が概略形態で示されている。その図に示すように、構造化光源（発光ダイオード、又はレーザーを含むその他の適切なエミッタ／光源を含む）は、プリント回路基板（ＰＣＢ）に配置され、カプセルの本体内に配置されている。図に示すように、構造化光素子は、カメラに隣接して配置されている。当業者に容易に理解されるように、カメラは、通常、光学素子並びに任意の電子機器及び機械部品とともに、１つ以上のセンサー及び／又はイメージング構造を含むことができる。図に具体的に示されているもの以外、本開示によるシステム、方法、及び構造によって、多くの構成の可能性があり、これらの構成の可能性を考慮できることに留意する。例として、カメラ及び／又はセンサーは、採用される特定の構成に応じて、同じＰＣＢ又は異なるＰＣＢに取り付けることができる。同様に、追加の／その他の／代替の光源を、カメラの周囲に配置できる。
【００５５】
例えば、追加の光源は、カメラの周りを囲むようにリング状又は他の配列で配置されてもよい。同様に、追加の構造化光素子は、カメラの周りに配置されて光源の間に設置されてもよく、あるいは、所望の照明及び構造化発光及び／又はパターンを生成できるような他の任意の配列で配置されてもよい。
【００５６】
図８に例示的に示されるように、カプセル内視鏡は、構造化光源（ＬＥＤ、又は他の発光体、好ましくは点光源）を有する構造化光素子、マイクロレンズアレイ、及び負の光学力を示す例示的な追加の光学素子（レンズ）Ｌ１を含む。そのようなレンズは、好ましくはＭＬＡの後に配置されることにより、構造化光素子（ＳＬプロジェクター／ジェネレーター）のＦＯＶカバレージを増加させる。好ましくは、Ｌ１は、他の機能的光学素子を含む成形（又は３Ｄ印刷を含む他の製造技術）構造の一部であり、カメラの周囲を少なくとも一部囲んで延伸することができる。この例示の概略図に具体的に示されていない他の機能的光学素子には、他のレンズ、他の／代替のＳＬ光源、及び／又は追加の／代替の光源（白色光源を含む）用のディフューザーが含まれる。この図にさらに示されているように、カメラは、投影中心ＣＯＰ１を有し、ＳＬプロジェクターは、ＣＯＰ１からオフセットされる投影中心ＣＯＰ２を有する。
【００５７】
引き続き図８を参照すると、例示的なカプセル内視鏡は、バッテリ又は他の電力源、コントローラー、メモリ、及び送信機を含むことが観察される。カプセル自体は、一端にドーム型の窓を備え、反対側の端にドーム型の本体素子を備えた円筒形の本体を含む。カプセル本体の一端を形成／閉鎖するドーム型の素子を説明するために、「窓」という言葉を使用したが、このようなドーム型の窓は、円筒形本体に適合し、かつ、使用される光に対して十分に透明である任意の適切な材料で製作されることができる。さらに、ドーム型の窓は一端にのみ示されているが、考えられる構成は、両端にドーム型の窓を含み、その中に複製の／補足の撮像システム／構造化光素子／光学素子が配置されてもよいことに留意する。
【００５８】
この点について、カプセル内視鏡、例えば、本開示によるカプセル内視鏡は、ヒトが飲み込み可能（摂取可能）であるため、長さが約４ｃｍ以下であり、直径が約２ｃｍ以下であるというサイズを示すことに留意する。そのようなカプセルは、内部に含まれる成分を含まずに、消化管を通る過程に耐える多くの生体適合性材料の中の任意の材料で構成されてもよい。さらに、当業者に容易に理解されるように、そのようなカプセルの少なくとも一部は、適切な生体適合性を示すことに加えて、適切な光学特性も示す。飲み込まれた（摂取された）カプセルは、蠕動運動を含む生理学的プロセスにより消化管を通過する。
【００５９】
当業者に容易に理解されるように、追加のハードウェア／電子／光学コンポーネント、及びコントローラー又は他の同等の構造によって実行される追加のソフトウェアが考えられる。操作上、画像データは、メモリに保存され、送信機によって外部ストレージ及び／又は処理システムに送信される。特定の例示的な実施形態では、メモリは、長期保存又はアーカイブ保存でき、カプセルが患者から排泄又は他の方法で除去されたるまで画像データが保存され、その後で取り出される。さらに他の例示的な実施形態では、送信機は、例えば、無線、超音波、人体の電気伝導により、又は光学的に、患者の身体を通して生体外受信機にデータを無線で送信する。また、好ましくは、図８に示されているような一般的な装置は、図８に例示的に示されるカプセル内視鏡ではなく、従来の内視鏡挿入チューブの先端の上／内部に配置されてもよい。このような装置には、次に説明するように、図面に示された構造を構成する素子の組み合わせが含まれる。
【００６０】
図９は、本開示の態様による、構造化光素子と追加の白色光素子とカメラとを含む現代の挿入型内視鏡及び挿入チューブの例示的構成を示す模式図である。当業者に容易に理解されるように、挿入チューブは、身体の開口又は身体に作られた切開部に通される。体内に配置されると、カメラシステムは体内の内腔の画像を撮像する。この図に示されている例示的な構造は、図８で先に示したものと実質的に同じであることに留意する。もちろん、特定の内視鏡の設計に応じて、本開示による構造化光を含むそのような内視鏡の様々な構成は、この図に特に示されていない場合でも、本開示の範囲内にある。
【００６１】
ここで、図８、図９（Ａ）及び図９（Ｂ）を同時に参照すると、これらの図では、３つのＳＬビーム軸は、光源を起点に、ＭＬＡを通過し、軸からずれたビームをより大きな角度に偏向することでＦＯＶを増加させるレンズＬ１を通過して、カプセルハウジングを通過して粘膜（ｌｕｍｅｎ  ｗａｌｌ、内腔壁）に到達し、人体または他の生体の空洞（内腔）のポイントＡ、Ｂ、及びＣにほぼ集中する照明スポットまたはパターンを生成する様子を示していることに留意する。ポイントＡ、Ｂ、及びＣのスポットから散乱された光は、カメラ内又はカメラによって収集され撮像される。
【００６２】
本開示の多くの態様を共有しているが、これらの３つの図を参照すると、本開示によるシステム、方法、及び構造は、３つの異なる構成で示されていることに留意する。図８は、本開示の態様による例示的なカプセル内視鏡を示す。図９（Ａ）は、本開示の態様による例示的な挿入チューブ型内視鏡を示す。図９（Ｂ）は、平坦な非ドーム状端部を有する本開示の態様による例示的な挿入型内視鏡を示す。さらに、図９（Ｂ）に示される例示的な構成に関しては、白色の非構造化光は、遠位端で生成されるものではなく、他の場所で生成されて、照明チャンネルを介して当該端に伝搬されるものである。このような照明チャンネル／リモート光源は、開示されているＬＥＤ又は他の光源によって置き換え／補足できることに留意する。同様に、ＳＬ光源は、挿入チューブの遠位端ではなく、例えば、近位端又はそれ以外の他の場所に示されており、また、ＳＬは、光ファイバー又は他の光ガイドなどのＳＬチャンネルを通して運ばれ、開口（例えば、光ガイドの端）を通して出射された後、ＭＬＡとＬ１を通過する。ＳＬ光源は、図９（Ａ）の例と同様に、代わりにＳＬ開口の位置に配置できるため、ＳＬチャンネルが不要となる。
【００６３】
白色光源は、ＳＬと白色光の両方が取り込まれた画像を照らすように、同じフレームの画像センサー統合期間中に起動されてもよい。好ましくは、ＳＬ光源は、白色光源を含む画像において識別可能な色を有するように、白色光源によって示される光学スペクトルとは異なる光学スペクトルを示してもよい。例えば、前記スペクトルは、赤色、緑色、アンバー色、又は青色のＬＥＤのスペクトルのように制限されたものであってもよい。スペクトルは、例えば、電磁スペクトルの赤外線（ＩＲ）領域などの白色光スペクトルの外側にあってもよい。もちろん、イメージセンサーには、白色光よりもＳＬの透過率が高いカラーフィルターを備えるピクセルが含まれる場合がある。例えば、ＩＲ構造の光を好ましくに検出するために、センサーには、ＩＲを透過させて、白色光を吸収するまたは別の方法で遮断するピクセルが含まれてもよい。
【００６４】
図１０（Ａ）及び図１０（Ｂ）は、パノラマ撮像システム及び構造化光素子を含む例示的なカプセルセクション（又は特に構成された挿入型内視鏡）の模式図を示す。記載されたこれらの例示的な実施形態において、パノラマ撮像システムは、例えば、カプセル（又は挿入型内視鏡）の円筒壁又は管状壁にそれぞれ向く４つのカメラシステムを含んでもよい。当業者に容易に理解されるように、特定の構成で使用されるカメラシステムの実際の数は、図に示されるものとは異なる場合があり、すなわち、２つ、３つ、４つ、又はそれ以上である。通常、単一のカメラシステムであっても、パノラマ画像機能を有すれば、特定の構成においては役立つことができる。
【００６５】
図１０（Ａ）及び図１０（Ｂ）は、例示的なカプセルの片側の断面図を示すが、このようなカプセルは好ましく縦軸の周りに鏡面対称を示すので、４つの（これらの例では）カメラシステムの１つのみが示されている。点光源ＬＥＤがカプセルの縦軸上又はその近くに配置され、カメラから縦方向にずれることが示されている。
【００６６】
操作上、前述のように、ＬＥＤからの光はマイクロレンズアレイ（ＭＬＡ）を通過する。一つの例示的な実施形態では、ＭＬＡのレンズは、図１１に例示的に示されるように、ＬＥＤと同心のリング上に中心が置かれる。その図に示されるように、レンズアレイは、開口を備えた不透明マスク層を含むことにより、レンズＣＡの外側にあるＬＥＤからアレイに入射する光をブロックする。
【００６７】
再び図１０（Ａ）及び図１０（Ｂ）を参照すると、ＭＬＡの１つのリング上の１つのレンズのビーム経路が観察され（図１０（Ａ））、図１０（Ｂ）では、同じＭＬＡの別のリング上の別のレンズの別のビーム経路が観察される。図１０（Ａ）には、リングの中の１つからのビームは、ミラーＭ１によって偏向される。好ましくは、前記ミラーＭ１は、同じＭＬＡリングをすべて通過するビームのセットを反射する環状ミラーである。Ｍ１は、必要に応じて、円錐形、球形、非球面形、又は他の形状を好ましくに示し得ることに留意する。
【００６８】
理解されるように、ミラーＭ１は、光ビームを外にダイレクト（反射）して、カプセルハウジングの管状壁を通過させる。ＭＬＡに垂直な光源軸に対して、Ｍ１は、構造化光の視野角を１８０°度以上に拡大する。例えば、ＦＯＶは２００°、２２０°、又は２４０°であってもよい。ミラーＭ１の反射は、光源の光軸上に、光源よりもカメラの近くにシフトされた仮想光源を効果的に「作成」する。図１０（Ａ）においては、光源の光軸はカプセルの縦軸として示されている。
【００６９】
カメラシステムによって撮像された構造化光の画像から奥行き情報を抽出するために、カメラ投影中心（ＣＯＰ）と仮想光源を物理的に分離する必要がある。図１０（Ａ）に示されるように、分離は、縦方向よりも横方向の方が大きい。複数のビームがＭ１によって偏向されてＭ１が光源に関して対称である場合、仮想光源はＳＬプロジェクターのＣＯＰに対応することに留意する。
【００７０】
ここで図１１を参照すると、アレイの個々のレンズが実質的に同心円に配置されている例示的なマイクロレンズアレイ（ＭＬＡ）の模式図が示されている。より具体的に言えば、個々のレンズは、５つのほぼ同心の円形リングのいずれか１つに配置されている。この例示的な配置で構成されているように、これらのリングは、さらに４つの異なるセクションに配置され、カプセル内の４つの側面カメラに方位角に整列される（あるいは、少なくとも１つのカメラ／イメージャーが個々のセクションに関連付けられ、１つ以上のイメージャーを含む１つ以上のカメラを有する他の内視鏡又は画像装置／構造）。
【００７１】
レンズＣＡは、ブラッククロムなどの材料のパターン化された黒色不透明層によって画定されることに留意する。明確な開口は、円形や矩形を含む他の形状も可能であるが、楕円形として示されている。楕円形のレンズの長軸は、ほぼ接平面に位置する。主光線に垂直な平面への開口の投影は短縮される。楕円状の開口は、短縮を補正して、より対称的なビームを生成する。大きな開口は小さな開口よりも多くの光を通過させるため、ビームの相対強度は開口サイズを設定することで制御される。
【００７２】
この点について、図１０（Ａ）、図１０（Ｂ）及び図１１に例示的に示される光学システムは、かかるシステム（例えば、カプセルなど）の中心の周りに対称又はほぼ対称であることに留意する。しかしながら、当業者に容易に理解されるように、このような「中心対称性」は必要ではない。例えば、１つ以上の光源は、縦軸の中心から外れるように構成されてもよい。また、及び／又は代わりに、ミラーＭ１、Ｍ２、及びＭ３は、縦軸の周りに回転対称性を示さず、ＭＬＡ内のレンズは、円形リング上に存在しなくてもよい。４台のカメラを有するカプセルシステムの場合、好ましくは、各カメラに１つずつ、４つの個別のＳＬシステムを実装する。この４つのシステムは、好ましく共通の（ｃｏｍｍｏｎ）ＭＬＡ基板を使用できる。
【００７３】
図１０（Ｂ）の説明に戻り、その図から、ＭＬＡのレンズが光源より発光される光の発散を低減し、マスク層（特に図示せず）がレンズＣＡの外側の光をフィルタリングすることが観察される。表示されている１つのビームは、ＭＬＡの１つのリングを通過するすべてのビームを表している。ビームは、ミラーＭ２によって偏向され、次にミラーＭ３によって再び偏向される。容易に理解されるように、ミラーＭ２及びミラーＭ３は環状ミラーであってもよい。
【００７４】
例示的に構成されているように、カプセル内部のＭ２の半径方向位置はＭ１の半径方向位置よりも小さく、ミラー開口は重なっていないため、Ｍ１とＭ２の両方が同じシステムに存在し得る。Ｍ３からの反射後、ビームは、カプセルの管状壁を通過し、カメラの視野内の粘膜を照らす。Ｍ２及びＭ３反射の組み合わせにより、ハウジングから出る際のビームの角度が、ＭＬＡから出る際のビームの角度と類似する。
【００７５】
しかしながら、観察され得るように、ビームは、変位しており、縦軸の光源よりもカメラから遠い仮想光源（投影の中心）から発するように見える。ＭＬＡから直接放射された光は、カメラによって遮られるため、カプセルから出ることができない。仮想光源を、光源よりもカメラから遠ざけることにより、ビームはブロックされずにカメラを通過する。当業者に容易に理解されるように、この同じアプローチを使用して、ビームを他の障害物を回り込ませることができる。通常の操作では、粘膜がカプセルハウジングに接触するため、望ましくは、ミラーを配置して、光ビームがＦＯＶ内のハウジングをできるだけ多くカバーするようにダイレクトすることに留意する。
【００７６】
図１２は、本開示に従って構成されたカメラで撮像された画像を示す模式図であり、当該画像は、ＳＬが投影された平面を有する画像である。スポットは、ＳＬビームと物体平面との交差によって生成される。各ＳＬビームは、ＭＬＡのマイクロレンズによって例示的に生成される。物体がカメラから離れて移動すると、スポットの重心は収束するエピポーラ線上で移動し、そのうちの４つが図に示されている。
【００７７】
例えば、物体が内視鏡に接触している場合は、１つのスポットがポイントＡにあり、物体がシステムの有効範囲の端にある場合は、ポイントＢにある。各スポットは、それぞれのエピポーラ線（カメラ画像が歪んでいる場合は曲線）上で移動する。シーン内のポイントに関する奥行き情報を抽出するために、システムは、画像内のスポットを識別し、カメラモデルに基づくスポットとエピポーラ線との間の対応を決定する。エピポーラ線が交差して交差点付近でスポットが検出されると、対応が混乱する可能性がある。幸いに、この問題及び他の曖昧なところを解決するための標準的な既知の技術が存在するため、全部またはほとんどのスポットの対応を確立する。
【００７８】
特に、エピポーラ線上の各スポットの位置が決定され、この位置は、画像内のスポット位置での物体の奥行きを確立する。スポットの数が多いほど、決定される奥行きマップの分解能が向上する。スポットのサイズと明るさは、物体の距離の増加につれて減少するため、これらの量は、スポットが投影される物体の距離の決定にも使用できる。個々のスポットとエピポーラ線との間の対応を識別するのではなく、投影された構造化光を含む表面の形状は、投影及び画像化されたパターンの部分（複数のスポットを含む）と、既知の変形されていないパターンの部分との間の相関を決定することにより、表面上の投影からパターン変形のマップを決定して、ＳＬパターン変形を決定するような他の既知の方法で決定できる。
【００７９】
図面には具体的に示されていないが、本開示による内視鏡システムは、通常、内視鏡システムから画像データを受信し、データの処理、画像データの人への表示（又はエキスパートシステムへの「表示」）、インターフェース（例えば、ＧＵＩ）を介して人／エキスパートシステムからの入力を受け取り、推定物体サイズなどの分析結果を提示し、手順データのデータベース、及び健康診断結果のレポートを生成するための１つ以上のコンピューター（又は同等のシステム／構造／機能）を含むことに留意する。
【００８０】
ＳＬを含む画像は、画像内で視覚化された物体の距離に関する情報を抽出するために、分析される。この分析は、人の読者に提示する前に、多く又はすべてのＳＬ画像に対してバッチモードで好ましく実行でき、あるいは、処理時間を短縮するために、一連の画像に対して操作して関心のある画像を決定するように読者又は機械（例えば、エキスパートシステム／アルゴリズム）によってフラグが付けられた又は識別された選択画像に対して実行できる。例えば、読者又は機械（アルゴリズム）が特定のフレームで起こりうる病変を識別し、そのフレーム及び／又は隣接するフレームの奥行き情報を構造化光画像データから抽出してもよい。
【００８１】
内視鏡画像は、通常、ビデオなどの一連の静止画像として読者に提示されることに留意する。読者は、ビデオを閲覧し、病状又は関心のある他の物体を見つける。そのような物体を含むフレーム（関心のあるフレーム）を選択し、特定の医療処置のために選択したフレームのリスト又はデータベースに格納することができる。
【００８２】
理解されるように、いくつかのフレームは、画像全体内における読者がサイズ測定を望む物体又は領域を含むことができる。そのような測定は、ＧＵＩを含む多くのよく知られた計算ツールの中の任意の工具によって、読者の操作により指示される。例えば、読者は、領域の周囲にある点を選択したり、周囲に曲線を描いたり、領域全体に線を引いたりすることができる。
【００８３】
次いで、システムは、例えば、２つの指定されたポイントの間の指示された領域にわたる距離を推定する。画像には構造化光が含まれる場合、画像内の任意の興味のあるの物体／特徴の物体空間内の距離の推定に当該構造化光を使用できる。構造化光から、画像で表示されるシーン又はシーンの一部の３Ｄモデルを構築できる。ＳＬポイントの密度が画像のピクセル密度よりも著しく低い場合、このようなモデルの質は不十分のおそれがある。
【００８４】
ＳＬスポットの重心の近くにあるピクセルから直接の奥行き情報を得ることができるが、スポットの間にあるピクセルからでは得ることができない。当業者に容易に理解されるように、検出されたエッジ又は陰影奥行きなどの画像内の追加情報を使用して、画像全体の奥行き情報をより良好に推定することができる。好ましくは、ＳＬ重心で計算された奥行きから補間することにより、ＳＬスポット間の領域で奥行きを推定できる。物体を画定する２つ以上のポイントの３Ｄ座標を推定すると、物体空間におけるそれらのポイントの間のデカルト距離が決定される。
【００８５】
通常、サイズの測定値は読者に表示され、データベースに記録される。関心領域の識別と画定の機能は、人の読者ではなく、機械実行アルゴリズムによって実行されることができ、又は、読者がそのような機械実行アルゴリズムと連携して、そのような領域の識別及び画定を行っても良い。
【００８６】
当業者に容易に理解されるように、構造化光（ＳＬ）照明と白色光（ＷＬ）照明が同じフレームに存在する場合、システムは通常のＷＬ画像背景内の構造化光を識別しなければならない。散乱されたＳＬも背景光を生成する可能性があることに留意する。さらに、構造化光スポットはエピポーラ線上に並ぶことが知られていることに留意する。これらの線の配置は、少なくとも部分的にはカメラとプロジェクターのキャリブレーションに基づくカメラモデルから決定される。より具体的に言えば、システムは、予想される形状、サイズ、強度、及び色で構造化光に最も一致する画像の特徴を検出する。特にＳＬの色が、ＷＬ照明の色と十分に異なる場合、色によりＳＬをＷＬから区別する便利な方法を提供する。
【００８７】
本開示に従って内視鏡システムから撮像されたビデオ又は他の画像セットをレビューするとき、ビデオ（又は画像）の可視構造化光はレビューアの注目を逸す可能性があることに留意する。したがって、そのようなＳＬスポットが識別されると、さまざまな方法を利用してそれを画像から除去することができる。
【００８８】
より具体的に言えば、画像からＳＬピクセル信号の推定値を引くことができる。そのような推定値は、色を含むＳＬのモデルに基づく場合がある。したがって、ＳＬによって特定のピクセルがカラー平面で飽和している場合、又は減算されるＳＬ信号が大きい場合、そのカラー平面における白色光画像信号は、他のカラー平面における信号に基づいて推定される。
【００８９】
例えば、ＳＬが主に赤色である場合、そのＳＬスポット周辺の画像の領域における赤色、緑色及び青色のカラー平面の間の統計的相関性に基づいて、ＳＬスポット内のピクセルの緑色及び青色のカラー平面データから、赤色のカラー平面を再構成できる。また、「インペインティング」などの方法を使用して、欠損画像を補完し、連続した画像の外観を構築することもできる。画像からの不完全なＳＬ減算に起因する彩度エラーを排除するために、グレースケール画像として好ましく表示される場合がある。構造化光がＩＲにあり、構造化光がＩＲピクセルによって検出される場合、構造化光による障害が最小限となるＲＧＢ画像を得ることができる。
【００９０】
画像からＳＬを減算するために使用される方法は、画像品質にいくらかの残留影響を残す可能性が高いことに留意する。したがって、ＳＬが白色光フレームとは別のフレームで撮像されることが望ましい。理解されるように、ＳＬフレームで決定された奥行き情報を最小限のエラーでＷＬフレームのシーンに適用できるように、白色光とＳＬフレームの間の時間差（分離）は十分に短くにして、シーンの変化を十分に小さくしなければならない。
【００９１】
任意のシーン及び変更の影響を軽減するために、レビューア／読者は、２つ以上のＷＬフレームで物体を画定することができる。次に、２つのＷＬフレームの間に時間的に配置される（すなわち、インタースティシャル）ＳＬフレームにおける物体の位置とサイズ（ピクセル単位）が、ＷＬフレーム間の補間によって推定される。関心のある物体が複数のフレームに表示される場合、レビューア／読者（又は機械システム／アルゴリズム）は、物体を画定する１つ以上のフレームと、物体の動きの速度の推定に基づく物体サイズを推定するための近位ＳＬフレームを選択でき、動きが最小又は許容できるフレームを選択できる。ビデオ又は一連の画像内の物体の移動量は、動きベクトルの計算などの既知の方法で推定できることに留意する。フレームを選択できるモーションメトリックは、シーン全体の全体的な動きよりも、ビデオ内で測定される特定の物体領域の動きに基づいている場合がある。
【００９２】
好ましくは、レビューア／読者又は画像認識システムアルゴリズム（任意の機械学習方法を使用するものを含む）は、関心のある１つのフレーム内の物体を識別することができる。次に、レビューア（又はシステム）は、パターン認識方法及び／又はアルゴリズムを使用して、隣接するフレームにおける同じ物体を検索する。続いて、物体を含むフレームのセットから、１つ以上のフレームを選択して対象物体の画定に用いることができる。
【００９３】
フレームは、物体の動きの速度、画像境界内の物体の割合、及び露出、モーションブラー、糞便又はその他物質による不明瞭さ、又は気泡もしくは濁りの存在などの要素を含む画像の品質などの複数の基準に基づいて選択できる。アルゴリズムは、特定のフレームを選択することができ、レビューア／読者は、ＧＵＩ又はその他のメカニズムを使用して入力を行うことにより、それらの特定のフレームの適合性を確認することができる。例示的な実施形態では、選択されたフレームは、フレームを保持又は選択解除するために選択されるチェックボックスを有してもよい。これらのフレーム内の物体の画定は、好ましくは、例えば、レビューア／読者がＧＵＩ又はその他のメカニズムを利用して手動で実行でき、あるいはシステムによって自動的に実行されてレビューア／読者によって確認又は微調整されても良い。同じ又は近位のフレーム内のＳＬの画定と分析に基づくサイズ測定は、画面上でレビューア／読者に提示される。測定は、例えば、エラーバー、信頼区間、又は測定の精度を示す他の指標が含まれるように表現されても良い。
【００９４】
当業者に容易に理解されるように、消化管を自律的に通過するカプセル内視鏡によって撮像されたビデオ又は一連の画像は、カプセルの停止、逆行、又はディザリングにより、冗長な情報を示す画像フレームがある。内視鏡システムは、冗長、つまり、他のフレームと同じ特徴を示すと判断される一部のフレームを表示しなくてもよい。また、シーンの重複画像を撮像する複数のフレームを合成画像にステッチすることができる。理解されるように、このフレーム数の削減により、ビデオのレビューに必要な時間が短縮される。
【００９５】
表示されたフレームの１つに病変などの関心対象が識別された場合、システムは、以前に表示されなかったフレーム又は他のフレームと組み合わされたステッチフレームとなったフレームを含むすべてのフレームが表示されたバージョンのビデオを表示することができる。前述のように、物体を画定しそのサイズを測定する最適なフレームを見つけるプロセスは、この大きなフレームセットに適用できる。上記の基準又はその他の基準に基づいて、物体の境界を定めるのに最適なフレームは、最初に表示されなかったフレームの１つである可能性がある。
【００９６】
サイズ測定のための関心領域は、特に領域が大きい場合、フレーム内で完全に視覚化されない場合があることに留意する。ただし、領域の一部を含む２つ以上のフレームをつなぎ合わせてステッチフレームにして、領域のすべて又は大部分をステッチフレームから取り込むことができる。領域は、ステッチフレームにおいて画定されてもよく、画定点の間のデカルト距離は、ステッチフレーム及び／又はフレーム間の構造化光データに基づいて推定されてもよい。
【００９７】
当業者に理解されるように、カプセル内視鏡は、いくつかの特に独特な撮像条件が示される。したがって、物体が空気又は他のガスではなく流体に浸されている場合、内視鏡カメラ（カプセル又は挿入可能なもの）で撮像された物体の拡大率は大きくなる。ゆえに、構造化光を使用した物体の奥行きの推定の正確さは、浸漬媒体への理解に依存する。
【００９８】
結腸内視鏡検査の期間において、結腸にガスが吹き込まれる。カプセル内視鏡検査の場合、結腸及びその他の臓器には、透明な（無色の）水で満たされることが好ましい。ただし、カプセル内視鏡検査の期間において、大きなポケットのガスを含む気泡が内腔に存在する。ビデオ又は一連の画像では、これらの気泡は、湿った粘膜表面からの明るい照明光の鏡面反射、及び水に浸された粘膜に対する粘膜の色の変化により、認識される。さらに、気泡の境界がカプセルハウジングを横切る場所にはメニスカスが見える。
【００９９】
レビューア／読者又は機械アルゴリズムによってサイズ測定のための物体を識別したとき、物体が液体又は気体に浸されているかどうかを確定できるようにレビューアに対して質問することがある。物体は、一部が液体に位置し、一部が気体に位置する可能性があるため、レビューア／読者は、浸っている気体／液体の比を示すか、カーソルツール（又は他のＧＵＩもしくは他のメカニズム）を使用して気体または液体に位置する領域をマークしてもよい。もちろん、コンピュータで実装された方法／アルゴリズムは、これらの同じ機能を実行できる。
【０１００】
ＳＬの幾何学的モデルは、選択された媒体に基づいて修正される。あるいは、固定の単一の媒体モデルに基づく測定値は、選択された媒体に基づいてアドホック（ａｄ  ｈｏｃ）に測ることができる。例えば、ＳＬモデルが水に浸されていると想定されているものの、測定対象の直径の割合Ｐが気体内にある場合（例えば、Ｐ＝０．４０）、サイズの推定値はＰＭによって調整でき、ここで、Ｍは、液体に対する気体の相対拡大倍率である。最後、Ｍはフィールド位置と推定物体距離の関数であり、アプリオリカメラモデルとキャリブレーションに基づいてもよい。
【０１０１】
この点について、内視鏡の校正は好ましく製造中に実行されてもよいことに留意する。より具体的に言えば、内視鏡カメラに対する既知の位置及び向きで、標的を内視鏡に提示してもよい。いくつかのターゲットには、チェッカーボードなどのパターンが含まれてもよい。記録された画像のパターン内の特徴の位置は、焦点距離、ＣＯＰ、ポーズ、及び歪みを含むカメラのモデルを決定するのに寄与する。他のキャリブレーション画像は、ＳＬを内視鏡から１つ以上のターゲットに照射することにより形成される。これらのキャリブレーション画像は、ＣＯＰ、ポーズ、エピポーラ線、及び色を含むＳＬ投影のモデルを決定するのに寄与する。
【０１０２】
カプセル内視鏡の場合、カプセル内視鏡メモリに校正データ並びに任意の画像及び／又は画像から導出されたパラメータを保存することが便利であることに留意する。その後、このデータを任意の生体内データとともにワークステーションにダウンロードして、生体内データを処理し、カメラ及び少なくとも部分的に校正データから導出したＳＬモデルを使用することにより、生体内画像から奥行き情報を抽出できる。あるいは、カプセル用の校正データは、シリアル番号などのカプセル識別子に関連付けられ、データベースに保存される。カプセルから生体内データと識別子を復元すると、識別子に関連付けられた校正データをデータベースから取得し、生体内データの処理に使用できる。
【０１０３】
内視鏡で使用される画像センサーは、ピクセル上のカラーフィルターのモザイクを含むことがよくある。例えば、センサーは、図１３に例示的に示されるように、応答性スペクトルを備えた赤色（Ｒ）、緑色（Ｇ）、及び青色（Ｂ）のピクセルを有してもよい。中心波長６５０ｎｍのＳＬスペクトルが示されている。ＳＬの帯域幅では、Ｒピクセルが最大の応答性を有し、順にＧ、Ｂである。
【０１０４】
操作上では、ＳＬで粘膜を照明するとき、いくつかの光は粘膜の表面から散乱され、いくつかの光は粘膜組織を透過し、吸収とバルク散乱の組み合わせを経過する。バルク散乱光の一部は、入射点から少し離れた粘膜に現れる。したがって、可視ＳＬスポットは、組織内の光の拡散により、粘膜に入射する光よりも空間的に広がる。このような拡大又はブルーミングにより、あるスポットを別のスポットとの区別を困難にするおそれがある。
【０１０５】
図１４（Ａ）及び図１４（Ｂ）は、センサー上の位置ｘの関数として、Ｒ、Ｇ、及びＢピクセルのセンサー輝度信号を示し、図１４（Ａ）は、物体が内視鏡に近く、センサーの放射照度が高い場合であり、図１４（Ｂ）は、物体が遠く、センサーの放射照度が低い場合である。粘膜物体を照射する光のビームは、信号がプラトーになるｘの領域としてセンサー上の画像に現れる特定の領域にわたって均一であると想定される。組織のバルク散乱により、センサーの放射照度は、これらのプラトーの端では突然低下することはないが、尾部では広く拡大する。隣接する２つのスポットの尾部は重なり合って表示される。ＳＬ光源又は別の光源からの拡散背景照明も信号に寄与し、飽和する方向に押す場合がある。
【０１０６】
画像センサーは、限られたダイナミックレンジを有し、特定のセンサーゲインに対して、記録できる最大放射照度に対応する最大輝度、輝度飽和（ｌｕｍａ−ｓａｔ）があることに留意する。輝度飽和は、センサーのアナログ−デジタル変換器（ＡＤＣ）によって決定される。ＡＤＣが１０ビットの場合、最大輝度は１０２３デジタルカウントである。引き続き図１４（Ａ）及び図１４（Ｂ）を参照すると、図１４（Ａ）においては、Ｒピクセルの輝度が輝度飽和を超え、飽和していることに留意する。２つのスポットの間の交叉点は飽和しているため、２つのスポットの画像は１つのスポットに合併され、Ｒピクセル信号から２つのスポットの位置を正確に決定できない。ただし、Ｇ及びＢ輝度は飽和していないため、これらの信号のいずれか又は両方からスポットの位置を決定できる。
【０１０７】
図１４（Ｂ）の場合では、信号はより弱く、どのピクセルも飽和していない。Ｒピクセルは、最も好ましい信号対雑音比（ＳＮＲ）を有する。したがって、スポット位置を決定するために、Ｒ信号が優先的に使用される。また、画像は白色光信号（図示せず）を有してもよく、その場合、図１４（Ｂ）に示されるように、Ｒチャンネルは、Ｇ又はＢよりも、白色光画像と区別しやすい。図１４（Ａ）に示される場合、飽和したＲ信号は、ＷＬ背景の存在下でＳＬスポットの存在を識別することに寄与するが、スポット重心は、Ｇ及びＢチャンネルからより正確に決定される。
【０１０８】
モノクロのグレースケールセンサーとは対照的に、異なる色スペクトルに反応するピクセルを備えたセンサーは、少なくとも２つのカラーチャンネルについてのＳＬ光への応答が異なるが非ゼロの場合、ＳＬ検出の有効ダイナミックレンジを増加させる。これらのチャンネルは、ダイナミックレンジを拡大した単一のチャンネルとして組み合わせてもよく、又は個別に分析してもよい。示されている例はＲＧＢセンサーであるが、黄色、透明（白色）、マゼンタ色、シアン色、紫色、又はＩＲなどの他のカラーチャンネルを使用できる。
【０１０９】
図１５は、体腔内の本開示による例示的なカプセル内視鏡を示す。カプセルは、２つの半球形エンドキャップを備えた管状の中央セクションを備える。管状壁の少なくとも一部は透明である。内視鏡は、４つのカメラで管状壁を通して撮像するパノラマ画像システムを含む。４つの対物レンズは、約９０°の間隔で管状壁に面している。この例では４つのカメラと４つの対物レンズを含むが、当業者に理解されるように、所望のＦＯＶが達成できるれば、より多くの数又はより少ない数のそのような素子を使用できる。さらに、図１５に示される同じ又は同様の装置あるいはその一部は、図９（Ａ）に示される装置のように、内視鏡挿入チューブの一端に取り付けられ、奥行き測定を含むパノラマ画像を有する挿入型内視鏡を形成できる。
【０１１０】
この例示的なシステムでは、撮像システムのＦＯＶは、カプセルの周りを囲むように３６０°であり、縦軸に対して約４５°〜１３５°である。レンズモジュール内のミラーは、レンズの光軸を折りたたむ。特定の例示的な実施形態において、画像は、４つの別個の領域にピクセルを有し得る共通の画像センサー上に形成される。カプセルには、白色ＬＥＤ又は内腔壁を照らすための他の光源が含まれる。
【０１１１】
図１５に例示的に示されるように、ＷＬ  ＬＥＤ１からの２つの光線とＷＬ  ＬＥＤ２からの１つの光線が内腔壁を照らす。ＷＬ  ＬＥＤ１からの１本の光線は、管状壁を通過する前にミラーＭ２によって反射される。点光源ＬＥＤなどのＳＬ光源は、広範囲に光を放射する。光は空間的にフィルタリングされ、ＭＬＡによってビームにコリメートされる。
【０１１２】
例示的に、ＭＬＡは、図１１に例示的に示されるような実質的に同心のリングに配列されたマイクロレンズを含む。ミラー構造Ｍ１は、様々な傾斜の複数の環状反射面を含む。好ましくは、表面は、円錐形でああってもよく、二次元で湾曲した形状を有してもよい。この例示的な実施形態では、Ｍ２は別の環状ミラーである。
【０１１３】
図１５には、Ｍ１の３つの環状表面で反射されるいくつかのビームの主光線がさらに示される。ビームの一部はＭ１によって反射され、次にＭ２によって再び反射される。Ｍ２の反射面は、ＷＬ  ＬＥＤ１からのＳＬビームと白色光照明の両方を反射し、両方をダイレクトしてカプセルハウジングを通して内腔壁を照明する。Ｍ１及びＭ２は、アルミニウムコーティングを施した射出成形プラスチック部品であってもよい。さらに、図１５には、いずれのミラーにも当たらず、ＭＬＡからカプセルハウジングを直接通過するビームの主光線も示されることに留意する。
【０１１４】
図１５でさらに観察されるように、ポリープは、周囲の内腔壁とともに白色光で照明されているため、カメラ及びＳＬによって撮像された画像で視覚化、識別、及び画定することができるので、奥行きマップの画像が生成され、ポリープのサイズが推定される。カプセルの縦軸に対して４つの異なる角度のビームが、カプセルハウジングの外側表面のカメラのＦＯＶをカバーする。パノラマの視野がカバーされるように、１８０度よりも大きい又は小さいＳＬビーム角度が生成される。ビームは、カメラの光軸を含むカプセルを横切る平面の上下に移動する。前述のように、カメラの数は、特定のＦＯＶとアプリケーション要件に応じて、４台よりも多い場合もあり、少ない場合もある。ミラーＭ１は３つの円錐環状面で示されているが、その数も、それよりも多くても少なくてもよい。
【０１１５】
本開示の全体で述べたように、追加の光学素子が光路内のＭＬＡの後に位置する内視鏡の構成は、それらの内視鏡に別格の利点をもたらすことができる。図１６は、そのような光学素子がＭＬＡの後に配置した例示的な構成を示す模式図である。このような構成の１つの特定の利点は、構造化光がθ１からθ２に投射される角度の範囲を拡大でき、例示的に示されるように、その角度が１８０度を超えることができる。光源の強度は、θ１以外では大幅に低下する可能性があり、開口の短縮とフレネル損失の増加により、ＭＬＡのスループットは、角度の増加につれて低下する。さらに、ＭＬＡのコストは光学素子よりも大きくなる可能性があるため、図１６の配置は、与えられたレンズ焦点距離と目的のＦＯＶθ２に対して、ＭＬＡのサイズを最小化する。パノラマ撮像を有する内視鏡について、一つの構造化光がカメラのパノラマ視野全体をカバーできるように、θ２＞１８０度の光学素子が生成される。
【０１１６】
図１７は、本開示の一つの態様による方法及びシステムの実施に適した例示的なコンピュータシステム１７００を示す。コンピュータシステムは、例えば、任意の数の作業システム又は組み込まれた制御プログラム又は特定用途向け制御プログラムのいずれかを実行するコンピュータを含む。本開示の上述の方法は、記憶されたプログラム制御命令として、コンピュータシステム１７００で実施され得る。当業者に容易に理解されるように、特定のコンピュータシステム及びそれに含まれるコンポーネントは、そのうえ／そのなかに実施される本開示の特定の態様に応じて、異なり得る。
【０１１７】
コンピュータシステム１７００は、プロセッサー１７１０、メモリ１７２０、記憶装置１７３０、及び入出力構造１７４０を含む。一つ以上の入出力装置は、ディスプレイ１７４５を含んでもよい。１つ以上のバス１７５０は、通常、コンポーネント１７１０、１７２０、１７３０、及び１７４０を相互接続する。プロセッサー１７１０は、シングルコアでもマルチコアでもよい。
【０１１８】
プロセッサー１７１０は、本開示の実施形態が１つ以上の図に記載された工程を含み得る命令を実行する。そのような命令は、メモリ１７２０又は記憶装置１７３０に記憶され得る。１つ以上の入出力装置を使用して、データ及び／又は情報を受信及び出力することが可能である。
【０１１９】
メモリ１７２０は、データを記憶することができ、揮発性又は不揮発性メモリなどのコンピュータ可読媒体であってもよい。記憶装置１７３０は、例えば、前述の方法を含むシステム１７００の記憶に提供されてもよい。様々な態様において、記憶装置１７３０は、フラッシュメモリデバイス、ディスクドライブ、光ディスクデバイス、又は磁気、光学、又は他の記録技術を採用するテープデバイスであってもよい。
【０１２０】
入出力構造１７４０は、システム１７００の入出力操作を提供することができる。これらの構造を利用する入出力デバイスは、他のものも含み、例えば、キーボード、ディスプレイ１７４５、ポインティングデバイス、及びマイクロホンを含んでもよい。図示されてまた当業者に容易に理解されるように、本開示と共に使用するためのコンピュータシステム１７００は、デスクトップコンピュータパッケージ１７６０、ラップトップコンピュータ１７７０、携帯型コンピュータ、例えば、タブレットコンピュータ、パーソナルデジタルアシスタント又はスマートフォン１７８０、又は「クラウド」コンピュータ１７９０を好ましく含む１つ以上のサーバコンピュータに実装され得る。
【０１２１】
この点について、いくつかの具体例を使用して本開示を表示したが、当業者は、我々の教示がそのように限定されないことを理解できるであろう。より具体的には、構造イベントにはより多くの時間情報を埋め込み、より詳細な時間情報、例えば、遷移時間分布を考慮して、マイニングされた構造イベントを豊かにすることを含む、より洗練された構造を検討できるように、この方法をさらに拡張できる。また、ログパターンの間の遷移関係にも注目した。ログには、使用可能な並列実行など、他にも有用な関係がある。これらの関係は、無向エッジ（ｕｎｄｉｒｅｃｔｅｄ  ｅｄｇｅｓ）を使用してワークフローグラフでさらにモデル化できる。また、本開示による方法によれば、システム管理者は、範囲、品質、又は接続性に異なる焦点（パラメーター設定）を持つシステムの動作を双方向に調査できる双方向設定で、より実用性化に達成できると考えている。
【０１２２】
したがって、本開示は、添付の特許請求の範囲のみによって制限されるべきである。
【図１】
0006891345.tif 000005
【図２】
0006891345.tif 000006
【図３】
0006891345.tif 000007
【図４】
0006891345.tif 000008
【図５】
0006891345.tif 000009
【図６】
0006891345.tif 000010
【図６（Ａ）】
0006891345.tif 000011
【図６（Ｂ）】
0006891345.tif 000012
【図７】
0006891345.tif 000013
【図８】
0006891345.tif 000014
【図９（Ａ）】
0006891345.tif 000015
【図９（Ｂ）】
0006891345.tif 000016
【図１０（Ａ）】
0006891345.tif 000017
【図１０（Ｂ）】
0006891345.tif 000018
【図１１】
0006891345.tif 000019
【図１２】
0006891345.tif 000020
【図１３】
0006891345.tif 000021
【図１４（Ａ）】
0006891345.tif 000022
【図１４（Ｂ）】
0006891345.tif 000023
【図１５】
0006891345.tif 000024
【図１６】
0006891345.tif 000025
【図１７】
0006891345.tif 000026